(57)【要約】      （修正有）【課題】  ネットワークのスプリアス放射を低減することを可能にする。【解決手段】  １ＭＨｚ以上の搬送周波数を有する電気通信信号を電力線に結合する手段を含む、電力伝送ネットワーク４０が開示される。好ましくは、低周波数で高振幅の幹線電力信号をフィルタ処理するための低域フィルタと、電気通信信号の結合素子とを含む、ネットワーク調整素子５２が用いられる。かくして、音声およびデータ信号の両方が、１ＭＨｚよ以上の搬送周波数で標準配電および／または伝送ネットワークを通して伝送でき、このネットワークは、既知のものよりもネットワークの単位長さ当たりの利用可能なスペクトラムと、伝送容量がより大きい。調整されたネットワークの静止雑音レベルはまた大きく低減され、したがって所与の信号対雑音比に対してより低レベルでの信号入力が可能となる。【選択図】        図１
2005130519.tif 000002
【特許請求の範囲】
【請求項１】
建造物の外部に設けられる外部部分を少なくとも有する電力ネットワークであって、
１ＭＨｚよりも高い搬送周波数を有する電気通信信号を前記ネットワークの第１の相導体に入力するための入力手段と、
前記ネットワークから前記電気通信信号を取出して、前記電気通信信号を出力するための出力手段とを含み、
前記電気通信信号は、前記ネットワークの前記外部部分を伝わって伝送され、
前記搬送周波数は、それによって前記電気通信信号によって伝達可能なデータの容量を増加させる、ネットワーク。
【請求項２】
前記ネットワークは、複数の離れた建造物を接続し、前記電気通信信号は、前記建造物の間を伝送される、請求項１に記載のネットワーク。
【請求項３】
前記電気通信信号は、前記第１の相導体の電位と接地電位との間の電位差の変動によって伝送される、請求項１または２に記載のネットワーク。
【請求項４】
前記ネットワークは、第２、第３の相導体をさらに含み、
前記入力手段は、前記電気通信信号を前記第１の相導体に入力し、
前記出力手段は、少なくとも前記第２、第３の相導体のうちのひとつから前記電気通信信号を取出す、請求項１に記載のネットワーク。
【請求項５】
前記入力手段は、前記第１〜第３の相導体のうちの前記第１の相導体のみに対する入力のためのものである、請求項４に記載のネットワーク。
【請求項６】
前記搬送周波数は、１ＭＨｚないし６０ＭＨｚの間である、請求項１〜５のいずれかに記載のネットワーク。
【請求項７】
前記ネットワークは、
通信装置をさらに含み、
前記通信装置は、
使用の際に、低周波数で高振幅の幹線電力信号が前記ネットワークを伝わって前記建造物へ通るのを可能にし、かつ、前記建造物からの電気的雑音が前記建造物の外部にある前記ネットワークの部分に入るのを防止するための低域通過フィルタ部と、
前記ネットワークへの前記電気通信信号の入力と、前記ネットワークからの前記電気通信信号の取出の、いずれか一方または両方を行なうための結合素子とを含む、請求項１〜６のいずれかに記載のネットワーク。
【請求項８】
前記通信装置は、
前記通信装置に接続された前記ネットワークの一端を前記ネットワークの特性インピーダンスで終端する終端素子をさらに含む、請求項７に記載のネットワーク。
【請求項９】
前記通信装置は、
受信装置または伝送装置と前記電力ネットワークとの間のインピーダンス整合を行なうためのインピーダンス整合手段をさらに含む、請求項７または８に記載のネットワーク。
【請求項１０】
前記低域通過フィルタは、
幹線電気入力と幹線電気出力との間に配置され、前記幹線電気入力の端部で第１のキャパシタと接続され、前記幹線電気出力の端部で第２のキャパシタと接続されるインダクタを含み、
前記第１のキャパシタは、前記幹線電気入力を信号入出力線に接続し、
前記第２のキャパシタは、前記幹線電気出力を接地に接続する、請求項８または９に記載のネットワーク。
【請求項１１】
前記第１のキャパシタは、結合キャパシタとして動作し、使用される際には、高周波数の通信信号が前記信号入出力線から実質的な減衰無しに通ることを可能とし、かつ、信号の低周波数成分を減衰させる、請求項１０に記載のネットワーク。
【請求項１２】
前記通信装置は、前記ネットワークと前記構造物の内部の電気的ネットワークとの間のインターフェースに接続される、請求項６ないし１０のいずれかに記載のネットワーク。
【請求項１３】
信号伝送方法であって、
１ＭＨｚよりも高い搬送周波数を有する電気通信信号を、建造物の外部に設けられる外部部分を少なくとも有する電力ネットワークの第１の相導体に入力するステップと、
前記電気通信信号を引き続いて受信するステップとを含み、
前記電気通信信号は、前記ネットワークの前記外部部分を伝って伝送され、
前記搬送周波数は、それによって前記電気通信信号によって伝達可能なデータの容量を増加させる、信号伝送方法。
【請求項１４】
前記ネットワークは、複数の離れた建造物を接続し、前記電気通信信号は、前記建造物の間を伝送される、請求項１３に記載の信号伝送方法。
【請求項１５】
前記電気通信信号は、前記第１の相導体の電位と接地電位との間の電位差の変動によって伝送される、請求項１３または１４に記載のネットワーク。
【請求項１６】
前記ネットワークは、第２、第３の相導体をさらに含み、
前記電気通信信号は、前記第１の相導体に入力され、続いて、少なくとも前記第２、第３の相導体のうちのひとつから受信される、請求項１３〜１５のいずれかに記載の信号伝送方法。
【請求項１７】
前記電気通信信号は、前記第１〜第３の相導体のうちの前記第１の相導体のみに入力される、請求項１６に記載の信号伝送方法。
【請求項１８】
前記電気通信信号は、拡散スペクトラム技術を用いて変調される、請求項１３〜１７のいずれかに記載の信号伝送方法。
【請求項１９】
前記電気通信信号は、通信装置を用いて、前記ネットワークに入力されかつ前記ネットワークから受信され、
前記装置は、
低周波数で高振幅の幹線電力信号が前記ネットワークから前記建造物へ通るのを可能にし、かつ、前記建造物からの電気的雑音が前記建造物の外部にある前記ネットワークの部分に入るのを防止するための低域通過フィルタ部と、
前記ネットワークへの前記電気通信信号の入力と、前記ネットワークからの前記電気通信信号の取出の、いずれか一方または両方を行なうための結合素子とを含む、請求項１３〜１８のいずれかに記載の信号伝送方法。
【請求項２０】
前記低域通過フィルタ部は、前記ネットワークから電力を受けるために前記ネットワークに結合される要素に起因してインピーダンスが変化する低周波数負荷が、前記ネットワーク上に存在する高周波数の電気通信信号を大きく減衰させるのを阻止する、請求項１９に記載の信号伝送方法。
【請求項２１】
前記通信装置は、前記電気通信信号を建造物から前記ネットワーク上に送出するように配置される、請求項１９に記載の信号伝送方法。
【発明の詳細な説明】
【技術分野】
【０００１】
この発明は、信号の入力、伝送、相互接続（終端）、および検出の方法に関し、ならびに電力伝送ネットワークすなわち配電幹線および／または伝送ネットワーク、およびそのためのフィルタに関する。特に、この発明は電気通信伝送（たとえば音声および／またはデータ）のための電気伝送ネットワークおよび／または線路の使用に関する。
【背景技術】
【０００２】
英国では従来、３３ｋｖおよびそれ以上のための電力ネットワークを“伝送ネットワーク”、３３ｋｖよりも小さなものに対しては“配電ネットワーク”と説明している。この規定では、“配電および／または電力伝送ネットワーク”という用語が通常用いられるが、一般的に電力ネットワークおよび信号の伝送について言及する際には、そのようなすべてのネットワークに当てはまるものとして解釈される。
【０００３】
伝統的に電気通信信号は、たとえば電話線といった独立したネットワークで伝送されてきたが、ごく最近では、家庭または産業用構内への電気通信サービスの簡潔化および効率向上のために、電気通信サービスを行なうために既存の電気伝送および配電ネットワークを用いることについての研究が行なわれている。
【０００４】
さらなる制御音声およびデータ信号の伝送のために、地上（架空）電力線を利用することは既知である。しかし、このような伝送の場合は、その他の電気通信サービスへの妨害を避けるために、周波数スペクトラムを特定のアプリケーションに割り当て、制限しなければならない。加えて、伝送により発生する放射の量は信号の強度に関連し、この放射は最小に抑えられねばならないため、伝送できる信号の強度は制限される。
【非特許文献１】Ｊ．Ｒ．ホーンビー（Formby）およびＲ．Ｎ．アダムス（Adams ），「高周波信号メディアとしての幹線ネットワーク（The mains network as a high frequency signalling medium ）」，エレクトリシティカウンシル（The Electricity Council ），１９７０年１月
【発明の開示】
【発明が解決しようとする課題】
【０００５】
このような伝送信号はしたがって、低電力で、そのような目的のために国際合意により割り当てられた特定の周波数帯内に制限されねばならず、そのためこのメカニズムは、信号が無線周波数帯（たとえば１５０ＫＨｚおよびそれ以上）に十分含まれるような、スケールの大きな音声および／またはデータ伝送には不適切である。
【０００６】
スペクトラム拡散技術を用いて、データを６ＫＨｚと１４８ＫＨｚの間の搬送周波数で地中および架空の電力ネットワークで伝送することは既知である。再び、この割り当てられた周波数帯では、そのような伝送は、電力線の雑音特性のために、データ速度が遅く、トラフィック容量が小さいといった被害を被る。利用可能なスペクトラムが制限されており、雑音レベルが高いため、広帯域の電気通信信号は送ることができない。
【０００７】
『エレクトリシティカウンシル（The Electricity Council ）』、（１９７０年１月）に掲載された、Ｊ．Ｒ．ホーンビー（Formby）およびＲ．Ｎ．アダムス（Adams ）による、「高周波信号メディアとしての幹線ネットワーク（The mains network as a high frequency signalling medium ）」といった論文では、低電圧および中電圧のネットワークに対する通信の可能性が述べられているが、さらなる研究は行なわれなかった。今日でさえ、遠隔メータ読取りおよび選択的負荷制御を見込んで、その解決策として電信および無線
通信といった技術を採用し、可能性のある幹線ネットワークを避ける傾向がある。
【０００８】
発案は行われているが、幹線ネットワークにより提示される対立する環境のため、理論の段階から進んだものはほとんどない。克服する問題は、電気的雑音（一定の背景雑音および過渡スパイクの両方）、ならびに表皮および近接効果が原因の高周波信号の減衰が大きいことを含む。
【０００９】
ホーンビー氏やアダムス氏は、８０ないし１００ＫＨｚの範囲の周波数を利用することを提案した。１００ＫＨｚが最大として推薦された、というのも理論的には周波数がより高ければ過度の減衰を被るからである。その他の論文は、放射される信号が１５０ＫＨｚよりも高ければ広帯域の無線信号の妨害をするという事実により、最大１５０ＫＨｚを推薦している。
【００１０】
電力ネットワークがまた音声およびデータ信号の伝送のために用いられるさらなる状況は、建築物内の電気配線である。このような構成においては、データの伝送のために適切なフィルタ処理を伴って内部２４０ｖ幹線配線を用い、データ信号を加え、電力信号から分離する。さらに、欧州特許出願番号１４１６７３で述べられるエムラックス（Emlux  ）フィルタといったフィルタを与え、データ信号が建築物から出て建築物の外の電力供給ネットワークに入り込むことを防止してもよい。述べられているエムラックスフィルタは、帯域ストップフィルタとして効果的に働く、同調フェライトリングからなる。効果的であるためには、帯域ストップフィルタは帯域幅が狭くなければならず、したがって高速データ通信に使用するには適さない、というのもこのような帯域ストップフィルタが数多く必要とされるからである。
【００１１】
この発明は、上記の問題のいくつかまたはすべてを軽減する、伝送ネットワークを提供することを目的とする。
【課題を解決するための手段】
【００１２】
したがってこの発明は、第１の局面としては、およそ１ＭＨｚよりも大きな搬送周波数を有する電気通信信号をネットワーク（たとえば地中電気伝送および／または配電ネットワーク）に入力するための入力手段と、類似する電気通信信号をネットワークから取出すための出力手段とを含む、電力伝送および／または配電ネットワークを提供する。
【００１３】
先行技術の教示とは反対に、この大きさの搬送周波数を使用することは、減衰効果のため非実用的となるものではない。その理由は、これらの高周波数では、電力伝送および／または配電ネットワークのネットワークのケーブルは、擬似同軸特性を表わし、減衰が低減するからである。
【００１４】
このようにして、音声およびデータ信号の両方を、およそ１ＭＨｚよりも大きな搬送周波数で伝送し、利用可能なスペクトラムを拡大し、伝送容量を増大することができる。
【００１５】
搬送周波数は実際、１ＭＨｚよりも小さく、すなわち８００ＫＨｚまたは６００ＫＨｚであってもよいが、搬送周波数が減少するにつれ帯域幅も減少する。
【００１６】
“搬送周波数”という用語は、搬送波信号の無変調周波数のことを指し、一旦変調された電気通信信号の周波数のことをいうのではない。
【００１７】
たとえば、４１５ｖのネットワークでは、搬送周波数は好ましくは１−１０ＭＨｚの間でもよく、たとえば１１ｋｖのネットワークでは５−６０ＭＨｚの間でもよい。しかし、そのネットワークおよびアプリケーション次第で、周波数はＭＨｚにして３ケタ代までで
あろう。たとえば、短距離（１０−２０ｍ）では、１−８００ＭＨｚの範囲の周波数が用いられるだろう。
【００１８】
好ましくは、電力ネットワークは、たとえば１３２ｋｖ、３３ｋｖ、１１ｋｖ、４１５ｖおよび２４０ｖ部分を有する、主要地中電力ネットワークである。音声およびデータ信号は、必要なときには適切な検出、増幅および／または再生および再導入により、その部分のいずれかまたはすべてを通して伝送されてもよい。
【００１９】
好ましい実施例では、全２重設備が提供される、すなわち信号はすべての方向に同時に伝送、および／または受信されてもよい。
【００２０】
この発明の第１の局面に従うネットワークは、電気メータの遠隔読取り、リモートバンキングおよびショッピング、電力管理システム、電信（音声）、スイッチされた電信、安全システム、および／または対話的データサービス、ならびにテレビといった、多くの音声および／またはデータ伝送の目的のために用いられてもよい。
【００２１】
この発明は第２の局面において、この発明の第１の局面に従うネットワークとともに使用するための、“ネットワーク調整装置”を提供する。ネットワーク調整装置は、低域フィルタ部分または低周波数で高振幅の幹線電力信号をフィルタ処理するための部分、電気通信信号を入力し、またネットワークから取出すための結合素子、ならびに好ましくは、その点でネットワークの特性インピーダンスに類似のインピーダンスの終端素子を含む。
【００２２】
このような装置を使用することにより、高周波の電気通信信号が構内に存在する内部低電圧配線に悪影響を及ぼさないこと、および／または内部低電圧構内配線からの雑音ソースが外部の電気伝送および／または配電ネットワークを通じて伝送される高周波の電気通信信号に悪影響を及ぼしたり損なったりしないことを確実にする。
【００２３】
好ましくは、ネットワークに結合されしばしば電気エネルギ（すなわち電気的負荷）を利用するすべてのアイテムの可変の電気的負荷効果（すなわち負荷インピーダンス）は、調整装置の低域フィルタ素子の動作により、通信信号からは切離される。
【００２４】
電気的フィルタは好ましくは、外部配電ネットワークとユーザの構内、たとえば家の内部ネットワークとのインタフェースで使用され、２つの信号が分離されることを確実にする。このようなフィルタは、通常の家庭内電源には最小の効果を持つようにせねばならない。
【００２５】
この発明のフィルタ素子は、ユーザの構内の内部ネットワークに侵入する電気通信信号を減少させることを目的とするが、好ましくは、１ボルトの降下しか生じることなく一方で、２４０ｖ、５０Ｈｚの単相電源からの１００ａｍｐの負荷を供給する。
【００２６】
好ましくは、ネットワーク調整装置は、受信／伝送デバイスと電力ネットワークとの間のインピーダンス整合を提供する。さらに、ネットワーク調整装置は、電力周波数の全負荷または故障電流を搬送し、一方で音声およびデータ信号を搬送することができる。
【００２７】
第３の局面においては、この発明は、およそ１ＭＨｚよりも大きな搬送周波数を有する電気通信信号の、電力伝送および／または配電ネットワークへの入力、および続く信号の受信を含む。
【００２８】
信号が３相の電力ケーブルを通して伝送される場合は、信号の伝搬はいずれかまたはすべての位相と接地との間で行なわれてもよい。好ましい実施例では、信号は位相の１つの
みと接地との間に入力され、このことにより不平衡な伝送特性がもたらされ、ケーブルは擬似同軸伝送線として動作する。
【００２９】
広範囲にわたる異なる伝送技術が、電力線通信とともに用いるために利用可能であるが、その各々は、周波数および時分割多重化両方を含めさまざまな変調方法を用いる。スペクトラム拡散方法により固有の安全性および優れた妨害阻止特性がもたらされることが決定されている。これら特性は、大きな帯域幅を用いて達成され、したがって特定のフィルタの設計を必要とする。
【００３０】
ネットワーク調整装置は好ましくは、幹線電気入力と幹線電気出力との間に配置され、その各端部が幹線電気入力と幹線電気出力との間に並列に配置された信号入力／出力線に接続される主インダクタを有する低域フィルタを含み、この２つの接続は、通信の目的のために利用されることになる周波数スペクトラムの部分次第で予め定められたキャパシタンスを各々が有する、第１のコンデンサと第２のコンデンサとを含む。
【００３１】
この配置では、主インダクタは信号入力／出力線からの通信信号が、家庭内／産業用構内に侵入することを防止するように動作する。このインダクタはしたがって、１ＭＨｚまたはそれより大きな周波数に対して１０μＨないし２００μＨの高インダクタンスであることが好ましい。
【００３２】
幹線電気入力と信号入力／出力線とを接続する第１のコンデンサは、結合コンデンサとして動作し、通信信号が信号入力／出力線から通るようにし、一方およそ主電源の周波数（すなわち５０／６０Ｈｚ）の低周波数構成要素のすべてを減衰する。
【００３３】
幹線電気出力と信号入力／出力線との間に配置された第２のコンデンサは、通信信号のさらなる減衰をもたらし、信号入力／出力線を介して接地に接続される。
【００３４】
第１または第２のコンデンサのいずれかの故障が発生した場合、こういったコンデンサの各々は好ましくは、第１または第２のコンデンサと信号の入力／出力線との間に配置されたヒューズをそれぞれ与えられる。さらに、信号入力／出力線と第１および第２のコンデンサとの接続の間に配置される第２のインダクタを設けることにより、さらなる安全対策を組入れることができる。このインダクタは通信周波数信号には影響を及ぼさないが、もし第１のコンデンサに故障が発生し、第１のヒューズが飛び、電力周波数信号が信号入力／出力線に通らなくなれば、接地への経路を与えるだろう。
【００３５】
主インダクタのインダクタンスは、その素材とコアの周りに巻いているワイヤの断面次第である。先に特定された１０μＨのインダクタンスは、好ましくは最小であり、さらに良質のコアの材料を用いれば、たとえば２００μＨのオーダの高インダクタンスが得られる。その代わりとして、直列に接続された多くのインダクタを用いることができる。
【００３６】
結合コンデンサは好ましくは０．０１ないし０．５０μＦの範囲のキャパシタンスを有し、幹線電気出力を信号入力／出力線と接地とに接続する第２のコンデンサは、好ましくは０．００１ないし０．５０μＦの範囲のキャパシタンスを有する。
【００３７】
信号入力／出力線の上に配置された第２のインダクタは、好ましくはおよそ２５０μＨの最小インダクタンスを有する。したがってこのインダクタは、信号入力／出力線の通信周波数信号に影響を及ぼさない。２５０μＨのインダクタを構成するために使用される導体は、故障電流を吸収するのに十分な断面領域を有し、短絡状態のない半結合コンデンサであらねばならない。
【００３８】
好ましくは、誘導性または容量性素子における擬似の自己共振は回避される。
【００３９】
好ましい実施例において、フィルタは遮蔽されたボックス内で組立られ、そのため優れたアースをもたらし、通信信号の放射を防ぐ。
【発明を実施するための最良の形態】
【００４０】
図１は包括的にネットワーク４０を示す。幹線電気が、変圧器４４を介し、１１ｋｖの伝送線４２から４１５ｖの３相ネットワーク４６へとネットワークに入る。４１５ｖの３相ネットワークは、建築物４８といった数多くの場所に与えられる。これらの建築物の各々は、単相の電力供給のみを受けてもよく、またはその代わりに３相の電力供給を受けてもよい。
【００４１】
音声およびデータ信号は、入力点５０でネットワークに入力され（またはその代わりにネットワークから受信され）、構内４８でユーザに受信されてもよい。音声およびデータ通信信号を、低周波数で高振幅の電力信号から分離するために、各信号の宛先はネットワーク調整装置５２が与えられる。このネットワーク調整装置は、２つの信号を分離するための低域フィルタを含む。
【００４２】
図２は、３相ネットワーク４０の一部を示す。ネットワーク調整装置５２を利用して、データ信号が、そのネットワークへ伝送およびネットワークから受信されてもよい。例として、データ信号はネットワーク調整装置５２Ａによりネットワークの黄色相に伝送されることができる、すなわち信号は図示のように黄色相とアースとの間に与えられる。伝送されたデータは次に、黄色、赤色および青色相にそれぞれ接続される調整装置５２Ｂ、５２Ｃおよび５２Ｄのいずれかまたはすべてにより受信されてもよい。言い換えれば、伝送されたデータは、伝送装置により信号が入力されなかった相を含め、ケーブルのいずれの相でもピックアップされる。これは、効果的に３相ケーブルの擬似同軸性を生む相導体の間の相互キャパシタンスのためである。図のとおり、データは各装置により伝送および受信されることができる。
【００４３】
図３は、３相ネットワーク４０の一部を示し、データ信号は、４つのネットワーク調整装置５２を用いてこのネットワークに伝送およびこのネットワークから受信される。図示のとおり、データ信号は、３相ネットワークのうち２つの位相を通して、この場合赤と青の位相を通して伝送される。
【００４４】
図４では、図２の代替的な伝送システムが示され、ここではデータ信号はすべての３相を通して伝送される、すなわち３相ネットワーク４０の青、赤および黄色である。
【００４５】
図５Ａは、赤色相５６、黄色相５８、および青色相６０を含む、３相電力ケーブル５４の簡略化された断面図を示す。データ信号は青色相６０とアース６２との間で伝送され、ネットワーク調整装置５２を介してネットワークに入力される。高周波では、位相の間の相互キャパシタンスは、効果的に短絡回路を発生する。したがって、このような伝送システムは、図５Ｂに示される同軸ケーブルとほぼ等しい、擬似−同軸特性をもたらす。３相ケーブルのいずれの２つの位相の間の相互キャパシタンスも、図５Ａの６４として概略的に示され、類似の相互キャパシタンスは位相のその他のパーツの間に存在する。
【００４６】
図６を参照すれば、この発明の局面に従うフィルタの実施例が示され、フィルタは包括的に参照番号１０により示され、幹線電気入力１２と幹線電気出力１４との間に接続される。信号入力／出力線１６がまた、フィルタ内に接続される。主電力線は、標準５０Ｈｚ幹線電源であり、通常の使用では最大電流１００ａｍｐで家庭内電源２４０ｖを与える。
【００４７】
フィルタ１０は、金属ボックスの中で組立てられ、外部に位置する機器への通信信号の放射を防ぎ、信号入力／出力線１６に対してアースへの接続１８を与える。フィルタ１０は、直径１０ｍｍで長さが２００ｍｍのフェライト棒の周りに３０回巻付けられる１６ｍｍ2 のワイヤで形成される、第１または主インダクタ２０を含む。これはおよそ５０μＨのインダクタンスを提供する。これは、利用される信号特性としては最小であろう。もっと優れた材料または複数の直列インダクタを使用することにより、インダクタのインダクタンスは、たとえばおよそ２００μＨまで増大するだろう。
【００４８】
主インダクタ２０の各々の端部には、信号入力／出力線１６への接続が設けられている。幹線電気入力１２と信号入力／出力線１６との間の第１の接続２２は、０．０１と０．５０μＦとの間、好ましくは０．１μＦのキャパシタンスを有する、第１または結合コンデンサ２４を含む。この結合コンデンサ２４は、故障の発生の際またはコンデンサ２４に故障が発生した際に飛ぶように配置された第１のヒューズ２６に接続される。
【００４９】
第２の接続２８は、０．００１と０．５０μＦとの間、好ましくは０．１μＦのキャパシタンスを有する第２のコンデンサ３０を含む。このコンデンサは、アースまたは接地１８に短絡することにより、通信信号のさらなる減衰をもたらす。第２のヒューズ３２が提供され、もし第２のコンデンサ３２が故障が発生すれば飛んでさらなる装置の損傷を防ぐ。
【００５０】
信号入力／出力線１６は、最小でおよそ２５０μＨのインダクタンスを有する第２のインダクタ３４を含む。このインダクタは、結合コンデンサ２４の故障の発生の際の損傷リミッタとして与えられる。このような故障が発生した際は、このインダクタは、５０Ｈｚの幹線電気電力周波数に対し接地１８への経路を与え、そうしてヒューズ２６を飛ばす。インダクタは、信号入力／出力線１６に現れる通信周波数信号に影響を与えない。
【００５１】
図７は、この発明の局面に従うフィルタの第２の実施例を示す。フィルタ７０は、幹線電気入力７２と幹線電気出力７４との間に直列で配置された、１対のインダクタＬ１、Ｌ２を含む。Ｌ１およびＬ２に対する好ましい値は、およそ１６μＨである。ＲＦ入力線８０と幹線入力７２との間に接続されているのは、第１のヒューズＦ１とコンデンサＣ１であり、ＲＦ入力８０と接地との間に接続されているのは、ＲＦチョークとして働き、典型的に２５０μＨの値を有する第３のインダクタＬ３である。
【００５２】
同様の形式で、Ｌ１およびＬ２の接続点と接地との間に接続されているのは、第２のヒューズＦ２と第２のコンデンサＣ２である。幹線電気出力７４と接地との間に接続されているのは、第３のヒューズＦ３と第３のコンデンサＣ３である。コンデンサに対する典型的な値は、およそ０．１μＦであり、ヒューズに対しては、およそ５ａｍｐである。
【００５３】
図８を参照すれば、この発明の実施例に従うネットワーク調整装置に対する典型的なハウジング配置が示される。主インダクタＬ１およびＬ２は、遮蔽ボックス９０内に収容される。通常ユーザの通信装置が接続される通信インタフェースポート９２を含め、さまざまな接続が示される。しかし、図８に示されるように、インピーダンス整合ポート終端器９４で終端とされてもよい。
【００５４】
図９は、図８の装置９０の内部に取付けられ、図７のネットワーク調整装置のための回路の残りを収容する回路盤９６を示す。図８に示されるボックスの適切な点に接続する接続Ａ、Ｂ、Ｃ、ＤおよびＥが示される。
【００５５】
図１０は、ネットワーク調整装置５２を概略的に表すものであり、ネットワーク調整素子のさまざまな構成ブロック８０−８６を示す。適切なネットワーク調整装置を設計する
ために、ブロック８１および８６で表わされる回路は、必要とされる通信周波数スペクトラム（たとえば１ＭＨｚおよびそれ以上）に対し高インピーダンス素子でなければならず、幹線電源（すなわち５０／６０Ｈｚ）の周波数では低インピーダンス素子でなければならない、すなわちこれらの素子はインダクタである。同様に、ブロック８０および８２は、必要とされる通信周波数スペクトラムに対して低インピーダンス結合素子でなければならず、幹線電源の周波数では高インピーダンス分離素子でなければならない、すなわちこれらはコンデンサである。
【００５６】
故障電流を制限するヒューズを飛ばすことができる安全リンク（８４および８５）が、素子８０および８２に直列で与えられる。さらなるインピーダンス整合ネットワーク８３が、通信ポートへの接続のために含まれてもよい。この素子は、ネットワーク調整装置５２の外部であってもよい。
【００５７】
アイテム８１、８０、８２および８６の最適値は、以下を含む要因次第である。
【００５８】
ａ）  ネットワークが調整される、必要とされる周波数の範囲。
【００５９】
ｂ）  調整されるネットワークの装置の長さ。
【００６０】
ｃ）  ネットワークが出会うかもしれない負荷の数および型。
【００６１】
ｄ）  アースに関するネットワークの相導体の特性インピーダンス、すなわち導体の外部電気シース。
【００６２】
ｅ）  通信インタフェースデバイスのインピーダンス。
【００６３】
ネットワーク調整装置は、調整装置の位置、負荷、および／または故障電流定格次第では、空気、不活性ガス、樹脂化合物、またはオイルで満たされてもよい。屋内に置かれたり、ポールが取付けられたり、地中に埋められたり、または街路の電灯の中に挿入されてもよい。
【００６４】
同様に、アイテム８１および８６は、個々のインダクタを数多く直列で含んでもよく、たとえば街路のライトのように、相互接続が必要とされなければ、アイテム８４、８０、８３および８６は、省略されてもよい。
【００６５】
アイテム８０および８２は、遭遇する動作電圧、すなわち２４０、４１５、１１ｋＶ、３３ｋＶなど次第では、数多くのコンデンサを、直列で、および／または並列構成で含んでもよい。その代わりとして、または追加的に、アイテム８０および８２が、たとえば５０ＭＨｚないし５００ＭＨｚの比較的広い周波数範囲にわたってネットワークを調整する際に生じるコンデンサの設計における欠陥をたとえば克服するために、２つ以上のコンデンサを並列で含んでもよい。
【００６６】
さらに、ネットワーク調整装置のアイテム８１、８５および８２は、必要であればカスケード接続されてもよい。典型的な設計では、カスケード接続される素子の数が多いほど、フィルタのロールオフ応答が大きくなるだろう。
【００６７】
上記からわかるように、この発明は、無線通信信号を示す周波数スペクトラムを有する信号を、標準幹線電源の信号から、電力の大きな損失を生じることなくまたはどちらかの信号の質を損なうことなく、効果的に分離するシンプルなフィルタを提供する。こうして、配電および／または伝送ネットワークは、電力供給のためおよび電気通信信号の伝搬の
ための両方に対して用いることができる。
【００６８】
低電圧の地中配電ネットワークにおいて、消費者への各供給点で、この発明に従うフィルタを使用することにより、５０Ｈｚ、２４０ｖの単相および４１５ｖの３相電気供給の配電とともに、高周波通信信号の伝送に適した、調整されたネットワークを提供する。このような調整されたネットワークを提供することは、この発明のさらなる局面を構成する。
【００６９】
この発明は、前掲の詳細な説明に制限されるものではなく、この発明の範囲内で変形が行なわれてもよい。
【図面の簡単な説明】
【００７０】
【図１】この発明の局面に従うネットワークの一部分の概略図である。
【図２】この発明に従うネットワークのための第１の伝送システムの概略図である。
【図３】この発明に従うネットワークのための第２の伝送システムの概略図である。
【図４】この発明に従うネットワークのための第３の伝送システムの概略図である。
【図５Ａ】典型的な３相ケーブルの断面である。
【図５Ｂ】典型的な同軸ケーブルの一部分である。
【図６】この発明の局面に従うネットワーク調整装置の好ましい実施例である。
【図７】この発明の局面に従うネットワーク調整装置の第２の実施例である。
【図８】ネットワーク調整装置の平面図である。
【図９】図８のネットワーク調整装置に対する回路盤の図である。
【図１０】この発明に従うネットワーク調整装置の概略図である。
【符号の説明】
【００７１】
４０  ネットワーク、５２  ネットワーク調整装置。
【図１】
2005130519.tif 000003
【図２】
2005130519.tif 000004
【図３】
2005130519.tif 000005
【図４】
2005130519.tif 000006
【図５Ａ】
2005130519.tif 000007
【図５Ｂ】
2005130519.tif 000008
【図６】
2005130519.tif 000009
【図７】
2005130519.tif 000010
【図８】
2005130519.tif 000011
【図９】
2005130519.tif 000012
【図１０】
2005130519.tif 000013